(57)【要約】本発明は水準器が備えられた履物に関するものである。本発明の水準器が備えられた履物は、靴底または甲皮の先端縁にその上面が表出されるようにＸ方向水準器が設置されており、靴底または甲皮の側面縁にその上面が表出されるようにＹ方向水準器が設置されていることを特徴とする。併せて、Ｘ方向水準器とＹ方向水準器は、靴底または甲皮と一体形成されたことを特徴とする。また、Ｘ方向水準器とＹ方向水準器は、靴底または甲皮に脱着可能に設置されていることを特徴とする。また、Ｘ方向水準器、Ｙ方向水準器のうち、どれか１つまたは全てに、勾配の調節を可能にする勾配調節手段が備えられていることを特徴とする。また、Ｘ方向水準器及びＹ方向水準器が一体形成された補助靴底が靴底の外周面に設置されることを特徴とする。本発明により、Ｘ方向水準器とＹ方向水準器を備えて、ゴルフ時に履物を着用した足を踏んだ該当地点のフィールドまたはグリーンに対する前後左右方向の高低及び傾斜度を正確に把握して、エラー無しで精巧なショットまたはパッティングをすることができるのみならず、建設または土木などのエンジニアの検測作業時に別途に水準器を具備する必要がないし、歩行時に歩行姿勢の矯正に助けになり、山登りをする時に地形の高低及び勾配が判断できるようになる。
2010514491.tif 000002
【特許請求の範囲】
【請求項１】
下部の靴底１０と上部の甲皮２０とから構成され、地面の高低または傾斜度が確認できるように水準器を備えた履物であって、
前記靴底１０または甲皮２０の先端縁にその上面が表出されるようにＸ方向水準器３０が設置されており、靴底１０または甲皮２０の側面縁にその上面が表出されるようにＹ方向水準器４０が設置されていることを特徴とする水準器が備えられた履物。
【請求項２】
前記Ｘ方向水準器３０とＹ方向水準器４０は、靴底１０または甲皮２０と一体形成されたことを特徴とする請求項１に記載の水準器が備えられた履物。
【請求項３】
前記Ｘ方向水準器３０とＹ方向水準器４０は、靴底１０または甲皮２０と脱着可能に設置されていることを特徴とする請求項１に記載の水準器が備えられた履物。
【請求項４】
下部の靴底１０と上部の甲皮２０とから構成され、フィールドまたはグリーンの高低及び傾斜度が確認できるように水準器を備えた履物であって、
前記靴底１０の周りの全体または先端縁と側面縁とを含む一側に補助靴底１０ａが設置されており、
前記補助靴底１０ａの先端縁と側面縁にその上面が表出されるように各々Ｘ方向水準器３０とＹ方向水準器４０が設置されており、前記Ｘ方向水準器３０とＹ方向水準器４０は、補助靴底１０ａと一体形成されたことを特徴とする水準器が備えられた履物。
【請求項５】
前記Ｘ方向水準器３０とＹ方向水準器４０のうち、どれか１つまたは全てに、勾配の調節を可能にする勾配調節手段１１が備えられていることを特徴とする請求項１または４に記載の水準器が備えられた履物。
【請求項６】
前記履物はゴルフ靴であることを特徴とする請求項１または４に記載の水準器が備えられた履物。
【発明の詳細な説明】
【技術分野】
【０００１】
本発明は、履物に関し、特に靴底または甲皮縁にＸ方向水準器とＹ方向水準器を設置して、足を踏んだ地点の前後左右の高低及び傾斜度が正確に把握できるので、ゴルファーのスイング、建築・土木エンジニアの検測作業、山登り及び歩行姿勢矯正に助けになる水準器が備えられた履物に関する。
【背景技術】
【０００２】
水準器が備えられた履物と関連した技術として、大韓民国登録実用新案公報第２０−０１８４５９３（２０００年６月０１日）号には、水平計が取り付けられたゴルフ靴が掲載されている。
【０００３】
この水平計が取り付けられたゴルフ靴は、図１に示すように、ゴルフ靴１の前上段部分に取り付けられた水平計２と、上記水平計２が水平を維持できるように水平計の下段に水平維持固定装置３とからなっている。
【０００４】
このような従来の考案は、ゴルフ靴１の前上段に固定装置３により水平を維持する水平計２が取り付けられているので、ゴルファーがフィールドやグリーンの高低及び傾斜度などを把握した後、アプローチ姿勢とゴルフボールの打撃方向及び打撃強度を決定してショットまたはパッティングできるようになるので、ゴルファーのショットまたはパッティング実力を向上させることができる長所を有することが事実である。
【０００５】
しかしながら、このような従来の考案は、第１に、ゴルフ靴１の前上段部分に方向性が欠けている円形の水平計２が取り付けられているので、ゴルファーが足を踏んだ地点のフィールドやグリーンの水平状態の把握は容易であるが、フィールドやグリーンがどの方向に高低をなして傾斜しているかを把握し難いので、ゴルファーがアプローチ姿勢とゴルフボールの打撃方向及び打撃強度を間違って決定してショットまたはパッティングエラーが生じる問題点があった。
【０００６】
第２に、ゴルファーが足に着用した状態で曲がり開く作用を繰り返すことになるゴルフ靴１の前上段部分に水平計２が取り付けられているので、ゴルファーが移動するか、ショットまたはパッティング動作をする時、足が曲がる動きに妨害を受けるようになって不便であるだけでなく、足が曲がる動きにより作用力を受けるようになる水平計２が固定装置３から容易に脱着されて使用できないようになるなどの問題点があった。
【０００７】
第３に、ゴルフ靴１の前上段部分に水平計２が突出するように取り付けられているので、ゴルフ靴１の外観が不良になる原因を提供して、拒否感を誘発させる問題点があった。
【０００８】
一方、大韓民国登録実用新案公報第２０−０２０００２６（２０００年８月５日）号には、図２に示すように、ゴルフ靴４のかかと５の内側面５ａに水平計６を付着固定したゴルフ靴が掲載されている。
【０００９】
また、このゴルフ靴は、図３に示すように、水平計６を支えた保護板７とゴルフ靴４のかかと５に取り付けられた水平連結台８を蝶つがい９により連結して折畳式で水平計を付着するか、図４に示すように、水平計６を支えた保護板７に形成させた連結ピン７ａをゴルフ靴４のかかと５に形成した連結溝５ｂに嵌合して着脱式で水平計を付着した構成となっている。
【００１０】
このような従来の考案は、ゴルフ靴４のかかと５の内側面５ａに水平計６が取り付けられているので、ゴルファーがフィールドやグリーンの高低及び傾斜度などを把握した後、アプローチ姿勢とゴルフボールの打撃方向及び打撃強度を決定してショットまたはパッティングできるようになるので、ゴルファーのショットまたはパッティング実力を向上させることができる長所を有することが事実である。
【００１１】
しかしながら、このような従来の考案は、第１に、ゴルフ靴４のかかと５の内側面５ａに水平計６が取り付けられているので、ゴルファーが該当地点に足を踏むとズボン裾により水平計６が遮られる現象が発生して、ゴルファーが水平計６を観測し難いという問題点があった。
【００１２】
第２に、ゴルフ靴４のかかと５に折畳式で取り付けられた水平計６の場合は、ゴルファーが移動する時には水平計６を畳み、ショットまたはパッティング動作時には水平計６を広げなければならないという使用上の不便性を甘受するようになり、ゴルフ靴４のかかと５に着脱式で取り付けられた水平計６の場合は、ゴルファーが移動するか、ショットまたはパッティング動作時に邪魔になるだけでなく、小さな衝撃にも水平計６が容易に離脱して失う虞が相存する問題点があった。
【００１３】
第３に、ゴルフ靴４に折畳式または着脱式で水平計６を付着するための構造が複雑になるほど管理対象の構成部品と製作費用が増加するので、生産コストが上昇して高価に提供される問題点があった。
【００１４】
その他、水準器が備えられた登山靴、水準器が備えられた作業靴、水準器が備えられた他の履物種類は案出されたことがなかった。
【発明の概要】
【発明が解決しようとする課題】
【００１５】
本発明は、靴底縁に上面が表出されるようにＸ方向水準器とＹ方向水準器を設置することによって、第１に、ゴルフ靴に適用して、ゴルファーが足を踏んだ地点のフィールドやグリーンに対する前後左右方向の高低及び傾斜度を正確に把握できるようにして、観測性能を画期的に向上させようとするものである。
【００１６】
第２に、作業靴の靴底縁に上面が表出されるようにＸ方向水準器とＹ方向水準器を設置することによって、建築、土木、各種工学エンジニアが検測作業を行う時、別途の水準器を具備しないで容易に検測作業をすることができるようにしようとするものである。
【００１７】
第３に、山登りのような野外活動時、靴底縁に設置されたＸ方向水準器とＹ方向水準器を通じて周辺地形の高低及び傾斜度を把握して、周辺環境の把握に参考できるようにしようとするものである。
【００１８】
第４に、歩行時に足の内側と外側の均衡が維持できるようにすることによって、Ｏ脚、がに股、及び足首が外側に折って歩行する人々に、歩行姿勢を矯正できるようにし、足首関節が矯正に助けになるようにしようとするものである。
【００１９】
特に、モデルのように、専門的に歩行練習をする人々をして練習時に使用するようにして姿勢矯正に助けになるようにしようとするものである。
【００２０】
併せて、足に着用した状態で拒否感や不便性をなくして使用上の便宜性を向上させ、構成部品数を最小化した単純構造で形成して、生産コストを格段に低減しようとするものである。
【００２１】
特に、Ｘ方向水準器とＹ方向水準器を靴底と一体形成して、単純な製造工程により製造することができ、水準器紛失の恐れがない履物を提供しようとするものである。
【００２２】
また、一般の履物の靴底に容易にＸ方向水準器とＹ方向水準器を付着できるように構成することで、必要によってＸ方向水準器とＹ方向水準器を脱付着できるようにしようとするものである。
【００２３】
また、Ｘ方向水準器とＹ方向水準器の勾配が調節できるように構成することで、周辺環境などによって水準器の傾斜度を調節することによって、常時水準器の正確性が維持できるようにしようとするものである。
【課題を解決するための手段】
【００２４】
本発明の水準器が備えられた履物は、上記のような課題を解決するために、靴底または甲皮の先端縁にその上面が表出されるようにＸ方向水準器が設置されており、靴底または甲皮の側面縁にその上面が表出されるようにＹ方向水準器が設置されていることを特徴とする。
【００２５】
併せて、Ｘ方向水準器とＹ方向水準器は、靴底または甲皮と一体形成されたことを特徴とする。
【００２６】
また、上記Ｘ方向水準器とＹ方向水準器は、靴底または甲皮に脱着可能に設置されていることを特徴とする。
【００２７】
また、靴底の周りの全体または先端縁と側面縁とを含む一側に補助靴底が設置されており、補助靴底の先端縁にその上面が表出されるようにＸ方向水準器が設置されており、上記補助靴底の側面縁にその上面が表出されるようにＹ方向水準器が設置されており、上記Ｘ方向水準器とＹ方向水準器は補助靴底と一体形成されたことを特徴とする。
【００２８】
この際、Ｘ方向水準器、Ｙ方向水準器のうち、どれか１つまたは全てに、勾配の調節が可能であるようにする勾配調節手段が備えられていることを特徴とする。
【発明の効果】
【００２９】
本発明によると、靴底縁に上面が表出されるようにＸ方向水準器とＹ方向水準器を設置することによって、第１に、ゴルファーが足を踏んだ地点のフィールドやグリーンに対する前後左右の高低及び傾斜度を正確に把握できるようにして、観測性能が画期的に向上する。
【００３０】
また、作業靴の靴底縁に上面が表出されるようにＸ方向水準器とＹ方向水準器を設置することによって、建築、土木、各種工学エンジニアが検測作業をする時、別途の水準器を具備しないで容易に検測作業ができるようになる。
【００３１】
また、山登りのような野外活動時、靴底縁に設置されたＸ方向水準器とＹ方向水準器を通じて周辺地形の高低及び傾斜度を把握して、周辺環境の把握に参考できるようになる。
【００３２】
また、歩行時に足の内側と外側の均衡が維持できるようにすることによって、Ｏ脚、がに股、足首が外側に折って歩行する人々に、歩行姿勢を矯正することができ、足首関節が矯正に助けになる。
【００３３】
特に、モデルのように専門的に歩行練習をする人々をして練習時に使用するようにして姿勢矯正に助けになる。
【００３４】
併せて、足に着用した状態で拒否感や不便性をなくして、使用上の便宜性を向上させ、構成部品数を最小化した単純構造で形成して生産コストを格段に低減することができる。
【００３５】
特に、Ｘ方向水準器とＹ方向水準器を靴底と一体形成して、単純な製造工程により製造することができ、水準器紛失の恐れがない履物が提供できる。
【００３６】
また、一般の履物の靴底に容易にＸ方向水準器とＹ方向水準器を付着できるように構成することで、必要によってＸ方向水準器とＹ方向水準器を脱付着することができる。
【００３７】
また、Ｘ方向水準器とＹ方向水準器の勾配が調節できるように構成することで、周辺環境などによって水準器の傾斜度を調節することによって、常時水準器の正確性を維持させることができる。
【図面の簡単な説明】
【００３８】
【図１】従来の履物の一側面図である。
【図２】更に他の従来の履物の平面図である。
【図３】更に他の従来の履物の実施形態を示す側面図である。
【図４】更に他の従来の履物の実施形態を示す側面図である。
【図５】本発明の第１実施形態の履物を示す分解斜視図である。
【図６】本発明の第１実施形態の履物を示す部分断面図である。
【図７】第１実施形態の履物を示す部分平面図である。
【図８】第１実施形態の履物を示す部分平面図である。
【図９】本発明の履物のＸ方向水準器の作用状態を示す正面図である。
【図１０】本発明の履物のＸ方向水準器の作用状態を示す正面図である。
【図１１】本発明の履物のＹ方向水準器の作用状態を示す正面図である。
【図１２】本発明の履物のＸ方向水準器の作用状態を示す正面図である。
【図１３】本発明の第２実施形態の履物を示す分解斜視図である。
【図１４】本発明の第２実施形態の履物を示す分解斜視図である。
【図１５】本発明の第３実施形態の履物を示す部分断面図である。
【図１６】本発明の第３実施形態の履物を示す部分断面図である。
【図１７】本発明におけるＸ方向水準器及びＹ方向水準器に勾配調節手段が設置された状態を示す断面概略図である。
【図１８】本発明におけるＸ方向水準器及びＹ方向水準器に勾配調節手段が設置された状態を示す断面概略図である。
【図１９】本発明における更に他の形態の勾配調節手段が設置された状態を示す断面概略図及び斜視図である。
【図２０】本発明における更に他の形態の勾配調節手段が設置された状態を示す断面概略図及び斜視図である。
【図２１】本発明における水準器の断面形態の例を示す概略図である。
【図２２】本発明の第４実施形態の履物を示す分解斜視図である。
【発明を実施するための形態】
【００３９】
本発明の水準器が備えられた履物の好ましい実施形態は、下部の靴底１０と上部の甲皮２０とから構成され、フィールドまたはグリーンの高低及び傾斜度が確認できるように水準器を備えた履物を形成し、かつ上記靴底１０または甲皮２０の先端縁にその上面が表出されるようにＸ方向水準器３０が設置されており、上記靴底１０または甲皮２０の側面縁にその上面が表出されるようにＹ方向水準器４０が設置されており、上記Ｘ方向水準器３０とＹ方向水準器４０は靴底１０または甲皮２０と一体形成されたことを特徴とする。
【００４０】
以下、本発明の水準器が備えられた履物の実施形態を添付された図面を参照しつつ説明すれば、次の通りである。
【実施例１】
【００４１】
第１実施形態：Ｘ方向水準器とＹ方向水準器が靴底と一体形成された履物
図５には、Ｘ方向水準器３０とＹ方向水準器４０が靴底１０または甲皮２０と一体形成された例が図示されている。
【００４２】
Ｘ方向水準器３０とＹ方向水準器４０を靴底１０または甲皮２０と一体形成する代表的な方法は、別途に製作されたＸ方向水準器３０とＹ方向水準器４０を靴底１０または甲皮２０の成形時に液状の樹脂が十分に冷却される前に、Ｘ方向水準器３０とＹ方向水準器４０を一定の位置に挿入させるか、靴底１０または甲皮２０成形枠にＸ方向水準器３０とＹ方向水準器４０を予め挿設させた状態で靴底１０の成形のための樹脂を成形枠に投入した後、冷却させることができる。
【００４３】
併せて、Ｘ方向水準器３０とＹ方向水準器４０とを別途に用意して靴底１０に一体化させる方法の以外に、靴底１０の形成時、内部にＸ方向水準器３０とＹ方向水準器４０が形成されるようにして一体化させることができる。
【００４４】
具体的に、靴底１０の形成時、先端縁と側面縁の内部の一側に空間を形成し、この空間にカラー液状物Ｂを注入し、内部に気泡Ｃを注入することによって、Ｘ方向水準器３０とＹ方向水準器４０を靴底と一体形成することができる。
【００４５】
その他にも、２つの製品を一体化させることができる公知の多様な成形方法を適用することができる。
【００４６】
この際、靴底１０または甲皮２０と一体化されるＸ方向水準器３０とＹ方向水準器４０は、外部から水準器の状態が識別できるように、その上面が靴底１０の上部に至るか、靴底１０の上部より突出するように形成することが好ましい。
【００４７】
一方、靴底１０の底面はできる限り平らに形成してＸ方向水準器３０とＹ方向水準器４０がフィールドまたはグリーンに対する前後左右方向の高低及び傾斜度を誤差無しで表示するための基準面になるようにすることが好ましい。
【００４８】
甲皮２０は柔軟性の皮革を素材にして、足の甲及びかかとと相応する形状に加工して靴底１０の上部に付着し、かつ、その後方上側に足を入れるか抜き出すことができるように開口部２１が形成されている。
【００４９】
そして、甲皮２０の開口部２１の前方には切欠した両側に配列形成される嵌合孔２２を通じて紐２３を通して足に甲皮２０を締めて密着させるか解いて緩めることができる。
【００５０】
Ｘ方向水準器３０とＹ方向水準器４０の構成は、図５及び図６に示すように、各々長手方向の中間に一定の幅で表示された水平表示用目盛り（Ａ１）を中心に両側に傾斜表示用目盛り（Ａ２）が表示された柔軟性チューブＡの内に気泡Ｃが形成されるように液状物Ｂを注入密封して、柔軟性チューブＡの内で動く気泡Ｃを通じてフィールドまたはグリーンの高低及び傾斜度が表示できるように構成されている。
【００５１】
Ｘ方向水準器３０とＹ方向水準器４０の構成は、上記図面により限定されるのではなく、公知の多様な水準器を採択して使用することができる。
【００５２】
このようなＸ方向水準器３０とＹ方向水準器４０は、図９及び図１０に示すように、ゴルファーが履物を着用した足をフィールドやグリーンに踏むと、該当地点のフィールドやグリーンの状態によって水平を維持するか、左右に傾く靴底１０により柔軟性チューブＡの内で気泡Ｃが動いて、左右方向の高低及び傾斜度を表示するようになり、Ｙ方向水準器４０は、図１１及び図１２に示すように、ゴルファーが履物を着用した足をフィールドやグリーンに踏むと、該当地点のフィールドやグリーンの状態によって水平を維持するか、前後に傾く靴底１０により柔軟性チューブＡの内で気泡Ｃが動いて前後方向の高低及び傾斜度を表示するようになる。
【００５３】
この際、Ｘ方向水準器３０とＹ方向水準器４０は、柔軟性チューブＡの内に靴底１０と対比されるカラーを持つカラー液状物Ｂを注入して、ゴルファーが肉眼でＸ方向水準器３０とＹ方向水準器４０をより一層容易に観測できるようにすることができることを明らかにする。
【００５４】
併せて、図２１に示すように、Ｘ方向水準器３０とＹ方向水準器４０の断面は内側に凹形態、凸形態、傾斜した形態など、多様な形態で形成されたことを使用することができ、平面形態も多様な形態で形成可能である。
【００５５】
また、Ｙ方向水準器４０は必要によって足の内側と外側に対応する部分の全てに設置するか、内側と外側のうち、どれか一側に選択的に設置することができる。
【実施例２】
【００５６】
第２実施形態：Ｘ方向水準器とＹ方向水準器が靴底に脱付着するように形成された履物
図１３には、靴底１０の縁の側面壁にＸ方向水準器３０とＹ方向水準器４０が各々設置される状態が図示されている。
【００５７】
Ｘ方向水準器３０とＹ方向水準器４０の構成は、第１実施形態での説明のように、多様な水準器を設置することができる。
【００５８】
Ｘ方向水準器３０とＹ方向水準器４０を靴底に脱付着する方法は、簡単な構造のボルトやピース、ベルクロテープ、ボタン、紐などを適用して設置することができる。
【００５９】
または、Ｘ方向水準器３０とＹ方向水準器４０の一側にボルト体を一体形成して、別途の連結部材無しで固定するようにすることができる。
【００６０】
ところが、このように靴底１０の縁の側壁面にＸ方向水準器３０とＹ方向水準器４０を設置する場合、ワーキングやランニング中にＸ方向水準器３０とＹ方向水準器４０が地面と衝突するか、障害物とぶつけられて破損される可能性をすっかり排除することはできない。
【００６１】
このような危険性を多少解消するために、図１４には靴底１０の縁の上面にＸ方向水準器３０とＹ方向水準器４０が各々設置されている状態が図示されている。
【００６２】
この際、Ｘ方向水準器３０とＹ方向水準器４０を靴底１０に脱付着する方法は、前述したように、ボルト、ピース、ボタン、ベルクロテープ、紐、Ｘ方向水準器３０とＹ方向水準器４０と一体化されたボルト体など、多様な構成要素を利用することができる。
【００６３】
このように、Ｘ方向水準器３０とＹ方向水準器４０を靴底１０に脱付着するように構成することにより、一般の履物にＸ方向水準器３０とＹ方向水準器４０を自由に付着して使用することができる。
【００６４】
また、履物のうちの一部はそのデザインの流麗さによって一般の生活で着用することもあるが、このように脱付着可能に構成することで、ゴルフなどをする時はＸ方向水準器３０とＹ方向水準器４０を靴底１０に付着し、一般の生活活動中にはＸ方向水準器３０とＹ方向水準器４０を脱着して歩行できるようになる。
【実施例３】
【００６５】
第３実施形態：Ｘ方向水準器とＹ方向水準器の傾斜が調節できるようにした履物
合成樹脂で製作される靴底１０が使用上の変形及び温度変化による変形が発生する場合、Ｘ方向水準器３０とＹ方向水準器４０の気泡Ｃが真ん中に位置できない場合が発生する。
【００６６】
このような問題点を解消するために、図１５及び図１６は、Ｘ方向水準器３０とＹ方向水準器４０の傾斜度が調節できるようにした履物の断面例が図示されている。
【００６７】
Ｘ方向水準器３０とＹ方向水準器４０の構成は、第１実施形態で説明したように、多様な水準器を設置することができる。
【００６８】
図面から見ると、Ｘ方向水準器３０とＹ方向水準器４０は両側にボルト体が設置されており、靴底１０にボルト体が挿入されるボルト孔が形成されていることを見ることができる。
【００６９】
このような構成は、一側または他側ボルトの締めによってＸ方向水準器３０とＹ方向水準器４０の一側または他側が上昇または下降するようになったものである。
【００７０】
即ち、使用者が履物を平らな底に降りて置いた後、気泡ＣがＸ方向水準器３０とＹ方向水準器４０の真ん中に位置しない場合、一側または他側のボルト体を調節することによって、気泡Ｃの位置を真ん中に位置するようにするものである。
【００７１】
また、図１７及び図１８に示すように、Ｘ方向水準器３０またはＹ方向水準器４０の一側を巻いてリング形態で構成し、内側にボルト体が移動可能にホールを形成してボルト体の移動に従って勾配が調節できるようにした勾配調節手段１１の例が図示されている。
【００７２】
このように、勾配調節手段１１を用いてＸ方向水準器３０とＹ方向水準器４０の勾配を調節するようにする構成は、図示されたボルト体の他に公知の多様な高さ調節装置を用いて適用することができる。
【００７３】
併せて、第２実施形態で説明したように、脱付着のためのボルト体などを勾配調節のための手段に適用して実施することもできる。
【実施例４】
【００７４】
第４実施形態：補助靴底にＸ方向水準器とＹ方向水準器が設置された履物
図２２は、靴底１０の縁に設置される補助靴底１０ａを用意し、該補助靴底１０ａには第１実施形態で説明した方法によりＸ方向水準器３０とＹ方向水準器４０を一体に設置したことを表した。
【００７５】
この際、補助靴底１０ａと靴底１０との結合は、ボンディング、ボルティング、返し縫など、多様な方法を使用すればよい。
【００７６】
このような実施形態は、補助靴底１０ａにＸ方向水準器３０とＹ方向水準器４０を埋込設置して補助靴底１０ａと靴底１０とを固定させることによって、設置がより簡便になる。
【００７７】
上記のように構成された本発明の水準器が備えられた履物は、上記のようにゴルフ靴のみに適用できるのではない。
【００７８】
図示してはいないが、建築や土木エンジニアの履物に設置すれば、検測を必要とする環境で履物を用いて多様な検測作業をすることができる。
【００７９】
したがって、別途の水準器を準備しなくてもよいので、エンジニアの携帯装備が減る長所が得られる。
【００８０】
また、山登りをする時、該当位置の高低、傾斜度などを把握することができる。
【００８１】
また、Ｏ脚やがに股、足首が曲がったまま歩行する人などが歩行時に着用すれば、水準器を見ながら歩行姿勢を矯正することができる。
【００８２】
併せて、モデルのワーキング靴に適用して設置すれば、モデルの歩行練習を助けるようになる。
【産業上の利用可能性】
【００８３】
以上のように構成されたＸ方向水準器とＹ方向水準器が備えられた履物は、地面の前後左右の傾斜度の把握を必要とする活動に適用可能である。
【００８４】
併せて、足のうらの動きを統制しなければならない運動時に着用することによって、姿勢矯正に活用することもできる。
【図１】
2010514491.tif 000003
【図２】
2010514491.tif 000004
【図３】
2010514491.tif 000005
【図４】
2010514491.tif 000006
【図５】
2010514491.tif 000007
【図６】
2010514491.tif 000008
【図７】
2010514491.tif 000009
【図８】
2010514491.tif 000010
【図９】
2010514491.tif 000011
【図１０】
2010514491.tif 000012
【図１１】
2010514491.tif 000013
【図１２】
2010514491.tif 000014
【図１３】
2010514491.tif 000015
【図１４】
2010514491.tif 000016
【図１５】
2010514491.tif 000017
【図１６】
2010514491.tif 000018
【図１７】
2010514491.tif 000019
【図１８】
2010514491.tif 000020
【図１９】
2010514491.tif 000021
【図２０】
2010514491.tif 000022
【図２１】
2010514491.tif 000023
【図２２】
2010514491.tif 000024
【国際調査報告】
2010514491.tif 000025
2010514491.tif 000026